(57)【要約】  本発明は検索推奨方法と装置を提供する。前記方法は、検索語を受信するステップと、前記検索語と関連する複数の検索結果を取得するとともに、知識バンクにおいて前記検索語と関連する少なくとも一つのコンテンツを取得するステップと、前記検索語と前記少なくとも一つのコンテンツに基づいて少なくとも一つの推奨結果を取得するステップと、前記複数の検索結果を表示する第一表示部分と前記少なくとも一つの推奨結果を表示する第二表示部分を含む検索ページを提供するステップとを含む。本発明の実施形態の方法によれば、ユーザに検索結果を提供するとともに、検索語のタイプに関連する総合情報を了解させるよう補助し、ユーザの検索意図と最も一致する情報を提供することができ、ユーザのニーズを満たし、ユーザ体験を向上させることができる。
2016526728.tif 000002
【特許請求の範囲】
【請求項１】
検索語を受信するステップと、
前記検索語と関連する複数の検索結果を取得するとともに、知識バンクにおいて前記検索語と関連する少なくとも一つのコンテンツを取得するステップと、
前記検索語と前記少なくとも一つのコンテンツに基づいて少なくとも一つの推奨結果を取得するステップと、
前記複数の検索結果を表示する第一表示部分と前記少なくとも一つの推奨結果を表示する第二表示部分を含む検索ページを提供するステップとを含む
ことを特徴とする検索推奨方法。
【請求項２】
前記第一表示部分は検索ページの左側に位置し、前記第二表示部分は前記検索ページの右側に位置する
ことを特徴とする請求項１に記載の方法。
【請求項３】
前記少なくとも一つのコンテンツは予め設定したコンテンツであり、且つ、前記少なくとも一つのコンテンツは前記検索語のタイプと関連する
ことを特徴とする請求項１または２に記載の方法。
【請求項４】
前記少なくとも一つのコンテンツは、前記検索語とユーザの検索履歴及び／又はクリック履歴に基づいて取得できる
ことを特徴とする請求項１〜３のいずれか一項に記載の方法。
【請求項５】
前記推奨結果は写真と関連説明を含む
ことを特徴とする請求項１〜４のいずれか一項に記載の方法。
【請求項６】
検索語を受信する受信モジュールと、
前記検索語と関連する複数の検索結果を取得するとともに、知識バンクにおいて前記検索語と関連する少なくとも一つのコンテンツを取得する第一取得モジュールと、
前記検索語と前記少なくとも一つのコンテンツに基づいて少なくとも一つの推奨結果を取得する第二取得モジュールと、
前記複数の検索結果を表示する第一表示部分と前記少なくとも一つの推奨結果を表示する第二表示部分を含む検索ページを提供する表示モジュールとを含む
ことを特徴とする検索推奨装置。
【請求項７】
前記第一表示部分は検索ページの左側に位置し、前記第二表示部分は検索ページの右側に位置する
ことを特徴とする請求項６に記載の装置。
【請求項８】
前記少なくとも一つのコンテンツは予め設定したコンテンツであり、且つ、前記少なくとも一つのコンテンツは前記検索語のタイプと関連する
ことを特徴とする請求項６または７に記載の装置。
【請求項９】
前記少なくとも一つのコンテンツは、前記検索語とユーザの検索履歴及び／又はクリック履歴に基づいて取得できる
ことを特徴とする請求項６〜８のいずれか一項に記載の装置。
【請求項１０】
前記推奨結果は写真と関連説明を含む
ことを特徴とする請求項６〜９のいずれか一項に記載の装置。
【請求項１１】
アプリケーションが実行される時に、前記アプリケーションに、請求項１〜５のいずれか一項に記載の方法を実行させるアプリケーションを記憶する
ことを特徴とする記憶媒体。
【発明の詳細な説明】
【技術分野】
【０００１】
本発明は、コンピュータ技術分野に関し、特に検索推奨方法及びその装置に関する。
【背景技術】
【０００２】
コンピュータ技術の発展に伴い、インターネットの応用が普及する一方であり、インターネットユーザは検索エンジンを用いて必要なネットワークリソースを入手することができる。現在、ユーザに迅速で便利に必要な情報を入手させるように、検索エンジンは表示された検索ページの右側にユーザが入力した検索語と関連する実体情報を推奨し、更にユーザに検索エンジンが推奨した実体情報をより包括的に理解させるように、これらの実体情報に写真を添加し、ユーザに豊かな写真情報を提供する。
【０００３】
しかしながら、検索エンジンが推奨した実体情報はユーザの検索意図と一致せず、ユーザのニーズを満たせないことが問題である。例えば、図１（ａ）が示したように、ユーザが検索エンジンにおいて検索語「北京」を入力した場合、検索エンジンは検索ページの右側に検索語北京と関連する都市、地名、又は全国において空気の一番いい都市を推奨したりする。しかし、ユーザの意図はもともと北京の観光スポットや、文化、名人、美食、ランドマーク等のような北京と関連する各方面の情報を知ることである。そのため、検索エンジンを利用するユーザ体験がよくない。
【発明の概要】
【発明が解決しようとする課題】
【０００４】
本発明は、先行技術に存在する技術問題点の少なくとも１つを解決することを趣旨とする。
【０００５】
そのため、本発明は、検索推奨方法を提出することを、一つ目の目的とする。当該方法はユーザに検索結果を提供するとともに、検索語のタイプと関連する総合情報を了解させるよう補助し、ユーザの検索意図と最も一致する情報を提供することができ、ユーザのニーズを満たし、ユーザ体験を向上させることができる。
【０００６】
本発明は検索推奨装置を提供することを二つ目の目的とする。
【０００７】
本発明は記憶媒体を提供することを三つ目の目的とする。
【課題を解決するための手段】
【０００８】
前記目的を達成するため、本発明の第一方面の実施形態は検索推奨方法を提供する。当該方法は、検索語を受信するステップと、前記検索語と関連する複数の検索結果を取得するとともに、知識バンクにおいて前記検索語と関連する少なくとも一つのコンテンツを取得するステップと、前記検索語と前記少なくとも一つのコンテンツに基づいて少なくとも一つの推奨結果を取得するステップと、前記複数の検索結果を表示する第一表示部分と前記少なくとも一つの推奨結果を表示する第二表示部分を含む検索ページを提供するステップとを含む。
【０００９】
本発明の実施形態に係る検索推奨方法によれば、ユーザが入力した検索語に基づいて、検索語と関連する複数の検索結果を取得するとともに、知識バンクにおいて検索語と関連するコンテンツ及びそれに対応する推奨結果を取得し、検索結果、コンテンツ及び推奨結果を同時に検索ページにおいてユーザに表示する。そのため、ユーザに検索結果を提供するとともに、検索語のタイプと関連する総合情報を了解させるよう補助し、ユーザの検索意図と最も一致する情報を提供することができ、ユーザのニーズを満たし、ユーザ体験を向上させることができる。
【００１０】
前記目的を達成するため、本発明の第２方面の実施形態は検索推奨装置を提供する。当該装置は、検索語を受信する受信モジュールと、前記検索語と関連する複数の検索結果を取得するとともに、知識バンクにおいて前記検索語と関連する少なくとも一つのコンテンツを取得する第一取得モジュールと、前記検索語と前記少なくとも一つのコンテンツに基づいて少なくとも一つの推奨結果を取得する第二取得モジュールと、前記複数の検索結果を表示する第一表示部分と前記少なくとも一つの推奨結果を表示する第二表示部分を含む検索ページを提供する表示モジュールとを含む。
【００１１】
本発明の実施形態に係る検索推奨装置によれば、ユーザが入力した検索語に基づいて、検索語と関連する複数の検索結果を取得するとともに、知識バンクにおいて検索語と関連するコンテンツ及びそれに対応する推奨結果を取得し、検索結果、コンテンツ及び推奨結果を同時に検索ページにおいてユーザに表示する。そのため、ユーザに検索結果を提供するとともに、検索語のタイプに関連する総合情報を了解させるよう補助し、ユーザの検索意図と最も一致する情報を提供することができ、ユーザのニーズを満たし、ユーザ体験を向上させることができる。
【００１２】
前記目的を達成するため、本発明の第３方面の実施形態は、アプリケーションが実行されると、前記アプリケーションに、本発明実施例に記載の検索推奨方法を実行させるアプリケーションを記憶する記憶媒体を提供する。
【００１３】
本発明の実施形態に係る記憶媒体によれば、ユーザが入力した検索語に基づいて、検索語と関連する複数の検索結果を取得するとともに、知識バンクにおいて検索語と関連するコンテンツ及びそれに対応する推奨結果を取得し、検索結果、コンテンツ及び推奨結果を同時に検索ページにおいてユーザに表示する。そのため、ユーザに検索結果を提供するとともに、検索語のタイプと関連する総合情報を了解させるよう補助し、ユーザの検索意図と最も一致する情報を提供することができ、ユーザのニーズを満たし、ユーザ体験を向上させることができる。
【００１４】
本発明の付加の方面及び利点が下記の説明において部分的に表れられ、一部が下記の説明より明らかとなり、或は本発明の実行より了解できる。
【図面の簡単な説明】
【００１５】
本発明の上述及び／或いは付加的方面とメリットは、下記の図面を結合した実施形態に対する説明において、明らかになり、理解されることが容易になる。その中で、
【図１（ａ）】関連技術における検索エンジンが推奨した実体情報を示す模式図である。
【図１（ｂ）】関連技術における検索エンジンが推奨した実体情報を示す模式図である。
【図１（ｃ）】関連技術における検索エンジンが推奨した実体情報を示す模式図である。
【図２】本発明の一実施形態による検索推奨方法を示すフローチャートである。
【図３】本発明の一実施形態による検索エンジンが推奨したコンテンツ及びそれに対応する推奨結果を示す模式図である。
【図４】本発明の別の実施形態による検索エンジンが推奨したコンテンツ及びそれに対応する推奨結果を示す模式図である。
【図５】本発明の一実施形態による検索推奨装置を示すブロック図である。
【図６】本発明の別の実施形態による検索エンジンが検索ページを提供する模式図である。
【発明を実施するための形態】
【００１６】
以下に、図面を参照しながら説明される実施形態が例示性のものであり、本発明を解釈するためだけに用いられるものであって、本発明を制限するように理解されてはならない。逆に、本発明の実施形態は添付請求項に含まれる要旨及び内包範囲におけるあらゆる変化・変更及び同等物を含む。
【００１７】
本発明の説明には、用語「知識バンク」は知識工程において構造化され、操作しやすく、利用しやすく、全面的に組織化された知識の集合であり、一つ（又はいくつか）の分野における問題解決の需要に応じて、一つ（又は若干）の知識表示方法を利用してコンピュータのメモリにおいて格納・組織・管理及び利用する相互に関連する知識の集合である。これらの知識ピースは分野関連する論理知識、事実データ、専門家の経験から得られた啓発的知識を含み、例えばある分野における関連する定義、定理、アルゴリズム及び常識的知識等である。本発明の説明には、用語「第一」、「第二」は単に目的を説明するためのみに用いられ、相対的な重要性に明示的にも暗示的にも関連づけられ又は示された技術特徴の数量を暗示的に使用されるものではない。そのため、「第一」、「第二」を含む特徴を限定することは一つ又は複数の当該特徴を明示的に又は暗示的に含むことができる。本発明において、別途、明確に限定した場合を除き、用語「複数」は二つ又は二つ以上を指す。
【００１８】
フローチャートにおいてまたはここで他の方式で説明されたいかなる過程または方法は、一つ又は複数の特定の論理機能又は過程のステップを実現するための実行可能な命令のコードのモジュール、断片又は部分であり、並びに本発明の好ましい実施形態は他の形態も含み、例示された又は議論された順序（関与された機能とほぼ同じ方式又は逆の順序を含む）によらず機能を実行できることは当業者であれば理解すべきである。
【００１９】
以下は添付図面を参照しながら本発明の実施形態による検索推奨方法及び装置を説明する。
【００２０】
現在、検索エンジンが推奨した実体情報は多くの場合ユーザの検索意図と一致していないため、ユーザのニーズを満たすことができない。例えば、図１（ｂ）が示したように、検索語が「成都」である場合、検索エンジンが検索ページの右側において検索語成都と関連する地名、有名な観光地などのタイトルと写真情報をユーザに提供している。更に図１（ｃ）が示したように、検索語が「台北」である場合、検索エンジンが検索ページの右側において検索語台北と関連する都市、地名等のタイトルと写真情報を提供している。
【００２１】
検索エンジンが入力された検索語に基づいて検索語と関連する同位又は上位の実体情報をユーザに提供し、ユーザに検索語と関連する総合情報を了解させるよう補助することができれば、ユーザに検索意図と最も一致する検索結果を提供できるだけでなく、ユーザのニーズを満たし、ユーザ体験を向上させることもできる。
【００２２】
図２は本発明の一実施形態による検索推奨方法を示すフローチャートである。図２に示したように、当該検索推奨方法は以下のステップを含む。
【００２３】
ステップＳ１０１：検索語を受信する。具体的には、ユーザは検索エンジンが提供した検索インターフェースにおける検索語入力欄に検索語を入力することができる。例えば、ユーザは「北京」、「成都」、「台北」等の地名を入力することができるし、「楊▲ミ▼」、「王菲」等の人名を入力することもできるし、又は「排骨」、「小籠包」等の食品名を入力することもできる。
【００２４】
ステップＳ１０２：前記検索語と関連する複数の検索結果を取得するとともに、知識バンクにおいて前記検索語と関連する少なくとも一つのコンテンツを取得する。
【００２５】
具体的には、検索エンジンは、検索語に基づき検索エンジンの検索戦略を利用して、インターネット上から検索語と関連する情報を取得し、前記情報を組織化・処理した後、検索語と関連する複数の検索結果を取得する。現有の検索エンジンと違うのは、本発明の実施形態による検索エンジンは複数の検索結果を取得するとともに、知識バンクにおいて検索語の同位又は上位の一つ又は複数のコンテンツを取得することである。コンテンツは検索エンジンによって予め設定したものであり、しかも当該コンテンツは検索語のタイプと関連する。検索エンジンは検索語に基づいて知識バンクにおいて対応するコンテンツを検索することができる。更に言えば、検索エンジンはユーザの検索履歴及び／又はクリック履歴に基づいて検索語と対応するコンテンツを取得することもできる。
【００２６】
例えば、図３が示したように、ユーザが検索語「北京」を入力した場合、検索エンジンは「北京人物」、「舌の上での北京」、「北京の有名な観光スポット」等の検索語と関連する複数の下位のコンテンツを取得することができる。更に例を挙げると、図４に示したように、ユーザが検索語「成都」を入力した場合、検索エンジンは「成都人物」、「舌の上での成都」、「成都の有名な観光スポット」等の検索語と関連する複数の下位のコンテンツを取得することができる。つまり、検索エンジンは検索語と関連する検索結果を取得するとともに、検索語のタイプにより関連する名人、観光スポット、美食、文化、ランドマーク等の実体コンテンツも取得することができる。
【００２７】
ステップＳ１０３：検索語と少なくとも一つのコンテンツに基づいて少なくとも一つの推奨結果を取得する。
【００２８】
具体的には、検索エンジンは、検索語と関連する複数の検索結果と検索語に対応する複数のコンテンツを取得した後、検索エンジンの検索戦略を利用してインターネット上から各コンテンツに対応する写真と関連説明を含む複数の推奨結果を取得することができる。
【００２９】
例えば、図３が示したように、コンテンツが「北京人物」である場合、検索エンジンはそれに対応する「楊▲ミ▼」、「劉詩詩」、「老舎」等の名人の写真と姓名を取得することができる。コンテンツが「舌の上での北京」である場合、検索エンジンはそれに対応する「北京宮廷ヨーグルト」、「北京ダック」、「北京炸醤麺」等の美食の写真と名称を取得することができる。コンテンツが「北京の有名な観光スポット」である場合、検索エンジンはそれに対応する「後海」、「円明園」、「北京故宮」等の観光スポットの写真と名称を取得することができる。更に例を挙げると、図４に示したように、コンテンツが「成都人物」である場合、検索エンジンはそれに対応する「杜甫」、「張▲ジン▼頴」、「諸葛亮」等の名人の写真と姓名を取得することができる。コンテンツが「舌の上での成都」である場合、検索エンジンはそれに対応する「スパイシーチキン」、「鶏肉とピーナッツの唐辛子いため」、「魚の塩辛」等の美食の写真と名称を取得することができる。コンテンツが「成都の有名な観光スポット」である場合、検索エンジンはそれに対応する「青城山」、「武侯祠」、「西嶺雪山」等の観光スポットの写真と名称を取得することができる。
【００３０】
検索エンジンは、予め設定したアルゴリズムに従って、写真についての関連説明を写真の対応する位置にカバーさせ、その後、写真とその上にカバーされた関連説明を全体的に表示することを理解すべきである。
【００３１】
ステップＳ１０４：複数の検索結果を表示する第一表示部分と少なくとも一つの推奨結果を表示する第二表示部分を含む検索ページを提供する。
【００３２】
本発明の実施形態において、第一表示部分は検索ページの左側に位置し、第二表示部分は検索ページの右側に位置する。具体的には、図６に示したように、検索エンジンは、各コンテンツに対応する複数の推奨結果を取得した後、検索語と関連する複数の検索結果とコンテンツに対応する複数の推奨結果をそれぞれ検索エンジンが提供した検索ページにおいてユーザに表示することができる。検索エンジンは検索ページを第一表示部分と第二表示部分の二つに設置することができる。検索語と関連する複数の検索結果を検索ページの左側に位置する第一表示部分に表示させ、同時に各コンテンツに対応する複数の推奨結果を検索ページの右側に位置する第二表示部分に表示させる。
【００３３】
図３と図４が示したように、検索エンジンは、検索ページにおいて複数のコンテンツと対応する推奨結果の中のいくつかを表示し、その他のコンテンツと推奨結果を非表示するとともに、検索ページの右上に全部のコンテンツと推奨結果を表示するようにバーチャルボタンをユーザに用意する。ユーザが「全部」ボタンをクリックすれば、知識バンクにおける「北京人物」又は「成都の有名な観光スポット」等のコンテンツに含まれたすべての推奨結果を展開し、特別な一覧表ページを通して閲覧することができる。
【００３４】
本発明の実施形態に係る検索推奨方法によれば、ユーザが入力した検索語に基づいて、検索語と関連する複数の検索結果を取得するとともに、知識バンクにおいて検索語と関連するコンテンツ及びそれに対応する推奨結果を取得し、検索結果、コンテンツ及び推奨結果を同時に検索ページにおいてユーザに表示する。そのため、ユーザに検索結果を提供するとともに、検索語のタイプに関連する総合情報を了解させるよう補助し、ユーザの検索意図と最も一致する情報を提供することができ、ユーザのニーズを満たし、ユーザ体験を向上させることができる。
【００３５】
上述の実施形態を達成するため、本発明は更に検索推奨装置を提供する。
【００３６】
図５は本発明の一実施形態による検索推奨装置を示すブロック図である。図５に示したように、検索推奨装置は受信モジュール１００と、第一取得モジュール２００と、第二取得モジュール３００と表示モジュール４００とを含む。
【００３７】
具体的には、受信モジュール１００は検索語を受信する。具体的には、ユーザは検索エンジンが提供した検索インターフェースにおける検索語入力欄に検索語入力して受信モジュール１００に送信することができる。例えば、ユーザは「北京」、「成都」、「台北」等の地名を入力することができるし、「楊▲ミ▼」、「王菲」等の人名を入力することもできるし、又は「排骨」、「小籠包」等の食品名を入力することもできる。
【００３８】
第一取得モジュール２００は検索語と関連する複数の検索結果を取得するとともに、検索語と関連する少なくとも一つのコンテンツを取得する。具体的には、第一取得モジュール２００は、検索語に基づき検索エンジンの検索戦略を利用して、インターネット上から検索語と関連する情報を取得し、前記情報を組織化・処理した後、検索語と関連する複数の検索結果を取得する。現有の検索エンジンと違うのは、本発明の実施形態において、第一取得モジュール２００は検索エンジンは複数の検索結果を取得するとともに、知識バンク検索語の同位又は上位の一つ又は複数のコンテンツを取得できることである。その中、知識バンクは知識工程において構造化され、操作しやすく、利用しやすく、全面的に組織化された知識の集合であり、一つ（又はいくつか）の分野における問題解決の需要に応じて、一つ（又は若干）の知識表示方法を利用してコンピュータのメモリにおいて格納・組織・管理及び利用する相互に関連する知識の集合である。これらの知識ピースは分野関連する論理知識、事実データ、専門家の経験から得られた啓発的知識を含み、例えばある分野における関連する定義、定理、アルゴリズム及び常識的知識等である。コンテンツは検索エンジンによって予め設定したものであり、しかも当該コンテンツは検索語のタイプと関連する。第一取得モジュール２００は検索語に基づいて知識バンクにおいて対応するコンテンツを検索することができる。更に言えば、第一取得モジュール２００はユーザの検索履歴及び／又はクリック履歴に基づいて検索語と対応するコンテンツを取得することもできる。
【００３９】
例えば、図３に示したように、ユーザが検索語「北京」を入力した場合、第一取得モジュール２００は「北京人物」、「舌の上での北京」、「北京の有名な観光スポット」等の検索語と関連する複数の下位のコンテンツを取得することができる。更に例を挙げると、図４に示したように、ユーザが検索語「成都」を入力した場合、第一取得モジュール２００は「成都人物」、「舌の上での成都」、「成都の有名な観光スポット」等の検索語と関連する複数の下位のコンテンツを取得することができる。つまり、第一取得モジュール２００は検索語と関連する検索結果を取得するとともに、検索語のタイプにより関連する名人、観光スポット、美食、文化、ランドマーク等の実体コンテンツも取得することができる。
【００４０】
第二取得モジュール３００は検索語と少なくとも一つのコンテンツに基づいて少なくとも一つの推奨結果を取得する。具体的には、第一取得モジュール２００が検索語と関連する複数の検索結果と検索語に対応する複数のコンテンツを取得した後、第二取得モジュール３００は検索戦略を利用してインターネット上から各コンテンツに対応する写真と関連説明を含む複数の検索結果を取得する。
【００４１】
例えば、図３が示したように、コンテンツが「北京人物」である場合、第二取得モジュール３００はそれに対応する「楊▲ミ▼」、「劉詩詩」、「老舎」等の名人の写真と姓名を取得することができる。コンテンツが「舌の上での北京」である場合、第二取得モジュール３００はそれに対応する「北京宮廷ヨーグルト」、「北京ダック」、「北京炸醤麺」等の美食の写真と名称を取得することができる。コンテンツが「北京の有名な観光スポット」である場合、第二取得モジュール３００はそれに対応する「後海」、「円明園」、「北京故宮」等の観光スポットの写真と名称を取得することができる。更に例を挙げると、図４に示したように、コンテンツが「成都人物」である場合、第二取得モジュール３００はそれに対応する「杜甫」、「張▲ジン▼頴」、「諸葛亮」等の名人の写真と姓名を取得することができる。コンテンツが「舌の上での成都」である場合、第二取得モジュール３００はそれに対応する「スパイシーチキン」、「鶏肉とピーナッツの唐辛子いため」、「魚の塩辛」等の美食の写真と名称を取得することができる。コンテンツが「成都の有名な観光スポット」である場合、第二取得モジュール３００はそれに対応する「青城山」、「武侯祠」、「西嶺雪山」等の観光スポットの写真と名称を取得することができる。
【００４２】
表示モジュール４００は、検索ページの左側に位置する第一表示部分と検索ページの右側に位置する第二表示部分とを含む検索ページを提供する。複数の検索結果は検索ページの第一表示部分に表示し、少なくとも一つの推奨結果は検索ページの第二表示部分に表示する。具体的には、図６に示したように、第二取得モジュール３００が各コンテンツに対応する複数の推奨結果を取得した後、表示モジュール４００は検索語と関連する複数の検索結果とコンテンツに対応する複数の推奨結果をそれぞれ検索エンジンが提供した検索ページにおいてユーザに表示することができる。表示モジュール４００は検索ページを第一表示部分と第二表示部分の二つに設置することができる。検索語と関連する複数の検索結果を検索ページの左側に位置する第一表示部分に表示させ、同時に各コンテンツに対応する複数の推奨結果を検索ページの右側に位置する第二表示部分に表示させる。
【００４３】
本発明の実施形態に係る検索推奨装置によれば、ユーザが入力した検索語に基づいて、検索語と関連する複数の検索結果を取得するとともに、知識バンクにおいて検索語と関連するコンテンツ及びそれに対応する推奨結果を取得し、検索結果、コンテンツ及び推奨結果を同時に検索ページにおいてユーザに表示する。そのため、ユーザに検索結果を提供するとともに、検索語のタイプに関連する総合情報を了解させるよう補助し、ユーザの検索意図と最も一致する情報を提供することができ、ユーザのニーズを満たし、ユーザ体験を向上させることができる。
【００４４】
本発明の各部分は、ハードウェア、ソフトウエア、ファームウェア、またはそれらの組み合わせで実現することができる。上記実施形態において、複数のステップ又は方法は、メモリに格納され且つ適切な命令実行システムにより実行されるソフトウェアまたはファームウェアで実現することができる。例えば、ハードウェアで実現する場合、他の実施形態と同様に、当該技術分野で公知の以下の技術におけるいずれか１つ又はそれらの組み合わせで実現することができる。データ信号に論理機能を実現するための論理ゲート回路を有するディスクリート論理回路、適切な組み合わせ論理ゲート回路を有する専用集積回路、プログラマブルゲートアレイ（ＰＧＡ）、フィールドプログラマブルゲートアレイ（ＦＰＧＡ）などである。
【００４５】
本明細書の説明において、用語の「一つの実施形態」、「一部の実施形態」、「例示」、「具体的な例示」、又は「一部の例示」等の言葉とは、当該実施形態又は例示と合わせて説明された具体的な特徴、又は特性が本発明の少なくとも一つの実施形態又は例示に含まれることを意味する。本明細書において、上記の用語の概略表現は必ずしも同じ実施形態又は例示を指さず、且つ、任意の一つ又は幾つの実施形態や例示において適当な方法で組み合わせることもできる。相互矛盾しない限り、本明細書の説明における相違の実施形態又は例示及びそれらの特徴を組み合わせる又は結合することが当業者にできることである。
【００４６】
上本発明の実施形態を示して説明したが、当業者にとって理解できるのは、上記の実施形態は例示的なものに限らず、本発明を制限するように解釈される事が出来ない。本発明の原理と要旨から逸脱しない範囲で、これらの実施形態に対し様々な変更、修正、置換および変形をすることができる。
【図２】
2016526728.tif 000003
【図５】
2016526728.tif 000004
【図１（ａ）】
2016526728.tif 000005
【図１（ｂ）】
2016526728.tif 000006
【図１（ｃ）】
2016526728.tif 000007
【図３】
2016526728.tif 000008
【図４】
2016526728.tif 000009
【図６】
2016526728.tif 000010
【国際調査報告】
2016526728.tif 000011
2016526728.tif 000012
2016526728.tif 000013
2016526728.tif 000014